(57)【要約】      （修正有）【課題】義歯を取り外ししやすくなる、取り外し可能な義歯に取り付けられる弾力留め具及び弾力留め具からなるアクティブ式義歯を提供する。【解決手段】アクティブ式義歯は、内冠と外冠Ｂとからなる。内冠は、本物の歯に被せられ、内冠の表面には凸ブロックＡ１が設けられ、外冠内には、弾力留め具１が固定され、弾力留め具は前記凸ブロックの位置に対応する。前記弾力留め具は、第一弾性留めアーム１１と、第二弾性留めアーム１２とからなる。前記第一弾性留めアームの一端は第一固定端１１１を形成し、前記第一弾性留めアームの他端は第一アクティブ端１１２を形成し、前記第一固定端は、前記外冠内に固定され、前記第二弾性留めアームの一端は第二固定端１２１を形成し、前記第二弾性留めアームの他端は第二アクティブ端１２２を形成し、前記第二固定端は前記外冠内に固定される。前記第一アクティブ端と前記第二アクティブ端の間の距離は、前記凸ブロックの幅よりわずかに小さい。【選択図】図３
0003179284.tif 000002
【実用新案登録請求の範囲】
【請求項１】
取り外し可能な義歯に取り付けられる弾力留め具であって、
弾力留め具は、内冠或いは隣接する歯に配置された凸ブロックを挟みこみ、
弾力留め具は、第一弾性留めアームと、第二弾性留めアームとからなり、
前記第一弾性留めアームの一端は第一固定端を形成し、前記第一弾性留めアームの他端は第一アクティブ端を形成し、前記第一固定端は、外冠に固定され、
前記第二弾性留めアームの一端は第二固定端を形成し、前記第二弾性留めアームの他端は第二アクティブ端を形成し、前記第二固定端は前記外冠に固定され、
前記第一アクティブ端と前記第二アクティブ端の間の距離は、前記凸ブロックの幅よりわずかに小さく、前記外冠を下に向かって所定の位置に被せた時、前記第一アクティブ端と前記第二アクティブ端が前記凸ブロックによって開かれ、前記凸ブロックは前記第一弾性留めアームと前記第二弾性留めアームの間に進入することを特徴とする、取り外し可能な義歯に取り付けられる弾力留め具。
【請求項２】
前記第一固定端と前記第一アクティブ端の間には、第一ネック部が設けられ、前記第二固定端と前記第二アクティブ端の間には、第二ネック部が設けられ、前記第一ネック部と前記第二ネック部の位置は対応し、前記第一ネック部と前記第二ネック部の間の距離は、前記凸ブロックのサイズより小さく、凸ブロックは前記第一ネック部と前記第二ネック部を開くことはできないことを特徴とする、請求項１に記載の取り外し可能な義歯に取り付けられる弾力留め具。
【請求項３】
前記第一アクティブ端は、前記第一弾性留めアームが内側に丸められて形成され、前記第二アクティブ端は、前記第二弾性留めアームが内側に丸められて形成されることを特徴とする、請求項２に記載の取り外し可能な義歯に取り付けられる弾力留め具。
【請求項４】
前記第一アクティブ端と前記第一ネック部の間は彎曲して弧形を形成し、前記第二アクティブ端と前記第二ネック部の間は彎曲して弧形を形成し、この二つの弧形の開口は相互に対向し、それにより、前記凸ブロックを、前記第一アクティブ端と前記第二アクティブ端の間を通過させて、この二つの弧形が対向して形成する空間に進入させることができることを特徴とする、請求項２に記載の取り外し可能な義歯に取り付けられる弾力留め具。
【請求項５】
前記第一固定端と前記第二固定端は連結されることを特徴とする、請求項２に記載の取り外し可能な義歯に取り付けられる弾力留め具。
【請求項６】
前記第一弾性留めアームは、直線を呈し、前記第二固定端と前記第二アクティブ端の間には第二ネック部が設けられ、前記第二ネック部と前記第一弾性留めアームの間の距離は、前記凸ブロックのサイズより小さく、それにより、前記凸ブロックは前記第二ネック部を通過できなくなり、また、前記第二アクティブ端と前記第二ネック部の間は彎曲して弧形を形成し、前記弧形の開口は前記第一弾性留めアームに向き合い、前記第二アクティブ端は、前記第二弾性留めアームを内側に曲げて形成されることを特徴とする、請求項１に記載の取り外し可能な義歯に取り付けられる弾力留め具。
【請求項７】
前記第一アクティブ端は、前記第一弾性留めアームを内側に二度折り曲げてなり、その折り曲げた角度はいずれも９０度より小さく０度より大きく、前記第二アクティブ端は、前記第一アクティブ端に対応し、前記第二弾性留めアームを内側に二度折り曲げてなり、その折り曲げた角度はいずれも９０度より小さく０度より大きく、前記第一弾性留めアームの折り曲げた箇所の内の一つは、前記第二弾性留めアームの折り曲げた箇所の内の一つと相互に近づけて配置されることを特徴とする、請求項１に記載の取り外し可能な義歯に取り付けられる弾力留め具。
【請求項８】
前記第一アクティブ端と前記第二アクティブ端は、それぞれ外側に延伸して補助足を形成することを特徴とする、請求項１に記載の取り外し可能な義歯に取り付けられる弾力留め具。
【請求項９】
前記第一弾性留めアームと前記第二弾性留めアームは、ニッケルチタンメモリ合金（ＮｉＴｉ  Ｍｅｍｏｒｙ  Ｍｅｔａｌ）、或いは、オーストラリアワイヤー（Ａｕｓｔｒａｌｉａ  ｗｉｒｅ）であることを特徴とする、請求項１から請求項８に記載の取り外し可能な義歯に取り付けられる弾力留め具。
【請求項１０】
内冠と外冠とからなるアクティブ式義歯であって、
内冠は、本物の歯に被せられ、内冠の表面には凸ブロックが設けられ、
外冠内には、弾力留め具が固定され、弾力留め具は前記凸ブロックの位置に対応し、
前記弾力留め具は、第一弾性留めアームと、第二弾性留めアームとからなり、
前記第一弾性留めアームの一端は第一固定端を形成し、前記第一弾性留めアームの他端は第一アクティブ端を形成し、前記第一固定端は、前記外冠内に固定され、
前記第二弾性留めアームの一端は第二固定端を形成し、前記第二弾性留めアームの他端は第二アクティブ端を形成し、前記第二固定端は前記外冠内に固定され、
前記第一アクティブ端と前記第二アクティブ端の間の距離は、前記凸ブロックの幅よりわずかに小さく、前記外冠を、下に向かって、前記内冠に被せた時、前記第一アクティブ端と前記第二アクティブ端が前記凸ブロックによって開かれ、それにより、前記凸ブロックを前記第一弾性留めアームと前記第二弾性留めアームの間に進入させることができ、
前記外冠を上から下に向かって前記内冠に嵌め込んだ時、前記弾力留め具が前記凸ブロックによって開かれ、前記凸ブロックが前記第一アクティブ端と前記第二アクティブ端の間を通過した後、前記弾力留め具が前記凸ブロックの位置を制限することを特徴とする、アクティブ式義歯。
【請求項１１】
前記外冠内側には溝部が設けられ、それにより、前記弾力留め具を配置することができ、前記溝部の間の距離は、前記内冠の隣接面の幅より小さいことを特徴とする、請求項１０に記載のアクティブ式義歯。
【請求項１２】
前記内冠は、前記凸ブロックを介して、もう一つの内冠に連結されることを特徴とする、請求項１１に記載のアクティブ式義歯。
【請求項１３】
隣接する歯の表面の凸ブロックに取り付けられるアクティブ式義歯であって、
アクティブ式義歯は、外冠からなり、
外冠は、前記隣接する歯に隣接し、外冠における隣接する歯との隣接面には弾力留め具が設けられ、前記弾力留め具は、前記凸ブロックの位置に対応し、
前記弾力留め具は、第一弾性留めアームと、第二弾性留めアームとからなり、
前記第一弾性留めアームの一端は第一固定端を形成し、前記第一弾性留めアームの他端は第一アクティブ端を形成し、前記第一固定端は、前記外冠に固定され、
前記第二弾性留めアームの一端は第二固定端を形成し、前記第二弾性留めアームの他端は第二アクティブ端を形成し、前記第二固定端は、前記外冠に固定され、
前記第一アクティブ端と前記第二アクティブ端の間の距離は、前記凸ブロックの幅よりわずかに小さく、前記外冠を下に向かって所定の位置に配置した時、前記第一アクティブ端と前記第二アクティブ端は、前記凸ブロックによって開かれ、それにより、前記凸ブロックを前記第一弾性留めアームと前記第二弾性留めアームの間に進入させることができることを特徴とする、アクティブ式義歯。
【請求項１４】
前記外冠の外側には溝部が設けられ、それにより、前記弾力留め具を配置することができ、前記溝部の間の距離は、前記内冠の隣接面の幅より小さく、前記溝部頂端には凹溝が連結され、それにより、前記弾力留め具の頂端を配置することができることを特徴とする、請求項１３に記載のアクティブ式義歯。
【請求項１５】
内冠における前記外冠を被せる箇所には係合ブロックが設けられ、外冠内における前記係合ブロックに対応する位置には、弾性カバーが設けられ、前記外冠が前記内冠に被せられた時、前記弾性カバーは前記係合ブロックを弾力をもって包み込むことを特徴とする、請求項１４に記載のアクティブ式義歯。
【請求項１６】
前記外冠における隣接する歯に隣接する側には、前記隣接する歯に当接する延伸アームが設けられることを特徴とする、請求項１５に記載のアクティブ式義歯。
【請求項１７】
前記延伸アームは、少なくとも、前記隣接する歯の頂面及び前面及び後面に接触することを特徴とする、請求項１６に記載のアクティブ式義歯。
【請求項１８】
隣接する歯の表面の凸ブロックに取り付けられるアクティブ式義歯であって、
アクティブ式義歯は、義歯からなり、
義歯は、前記隣接する歯に隣接し、義歯における前記隣接する歯との隣接面には弾力留め具が設けられ、前記弾力留め具は、前記凸ブロックの位置に対応し、前記弾力留め具は、第一弾性留めアームと、第二弾性留めアームとからなり、
前記第一弾性留めアームの一端は第一固定端を形成し、前記第一弾性留めアームの他端は第一アクティブ端を形成し、前記第一固定端は前記外冠に固定され、
前記第二弾性留めアームの一端は第二固定端を形成し、前記第二弾性留めアームの他端は第二アクティブ端を形成し、前記第二固定端は前記外冠に固定され、
前記第一アクティブ端と前記第二アクティブ端の間の距離は、前記凸ブロックの幅よりわずかに小さく、前記義歯が所定の位置に配置された時、前記第一アクティブ端と前記第二アクティブ端は、前記凸ブロックによって開かれ、それにより、前記凸ブロックを前記第一弾性留めアームと前記第二弾性留めアームの間に進入させることができることを特徴とする、アクティブ式義歯。
【請求項１９】
前記外冠の外側には溝部が設けられ、それにより、前記弾力留め具を配置することができ、前記溝部の間の距離は、前記内冠の隣接面の幅より小さく、前記溝部の頂端には凹溝が連結され、それにより、前記弾力留め具の頂端を配置することができることを特徴とする、請求項１８に記載のアクティブ式義歯。
【請求項２０】
内冠における前記外冠を被せる箇所には係合ブロックが設けられ、外冠内における前記係合ブロックに対応する位置には、弾性カバーが設けられ、前記外冠が前記内冠に被せられた時、前記弾性カバーは前記係合ブロックを弾力をもって包み込むことを特徴とする、請求項１９に記載のアクティブ式義歯。
【請求項２１】
前記外冠における隣接する歯に隣接する側には、前記隣接する歯に当接する延伸アームが設けられることを特徴とする、請求項２０に記載のアクティブ式義歯。
【請求項２２】
前記延伸アームは、少なくとも、前記隣接する歯の頂面及び前面及び後面に接触することを特徴とする、請求項２１に記載のアクティブ式義歯。
【考案の詳細な説明】
【技術分野】
【０００１】
本考案は取り外し可能な義歯に用いられる弾力留め具、及び、この弾力留め具が結合されるアクティブ式義歯に関する。
【背景技術】
【０００２】
一般的に言うと、虫歯の状況がひどい時、或いは、外部の力を受けて歯が破損したり折れたりした時は、咀嚼能力と外観の美しさを保つために、冠を作って治療した後の本物の歯に被せる。この方法の欠点は、食物の残りカスが歯茎や冠の周縁の間の歯茎の溝にたまりやすく、日常の歯磨きなどでは、残りカスを完全に取り除くことはできず、残りカスが歯茎内で腐敗して、細菌が生じ、毒素が、歯根や歯茎及び歯槽骨等の近隣組織に入り込み、患者は、後日、さらに深刻な治療を行わなければならなくなる。
【０００３】
以前、ドイツでは、内、外冠を組み合わせてなる取り外し可能な義歯が開発された。内冠を本物の歯の外に被せ、外冠を内冠に被せることにより、外冠を取り外して洗浄することができ、それと同時に、清潔内冠と歯茎の間の食物の残りカスと腐敗物を洗浄することができ、歯周が腐敗による炎症を起こす問題を起こらないようにすることができる。この種の取り外し可能な義歯は、内外冠表面間の摩擦抵抗力を利用して固定し、外冠を直接外して全体をきれいに洗浄することができ、また、外冠が摩耗したり破損したりした場合、外冠を直接修理することができる。しかしながら、この種の義歯の欠点は、外冠をかぶせた時の安定度が悪いことである。外冠と内冠の間の摩擦力を利用して固定するものの、摩擦力が小さい場合、外冠は食べ物を咀嚼しているとき、特に粘着性のある食べ物を食べているときに外れやすい。反対に、内冠、外冠間の摩擦力が大きすぎる場合、外冠がひっかかって取れなくなる。
【考案の概要】
【考案が解決しようとする課題】
【０００４】
上述した内外冠の結合の問題を解決するため、本考案は、使用者が義歯（外冠）を取り外しやすくなるとともに、外冠を所定の位置に被せた時に、位置合わせの効果があるため使用時の利便性が向上する、取り外し可能な義歯に取り付けられる弾力留め具、及び、この弾力留め具を結合させたアクティブ式義歯を提供することを目的とする。
【課題を解決するための手段】
【０００５】
上述の目的を達成するために、本考案による取り外し可能な義歯に取り付けられる弾力留め具は、内冠上の凸ブロックを挟みこむために用いられる。弾力留め具は、第一弾性留めアームと第二弾性留めアームからなる。前記第一弾性留めアームの一端は、第一固定端を形成し、他端は第一アクティブ端を形成する。なお、前記第一固定端は、外冠に固定される。前記第二弾性留めアームの一端は第二固定端を形成し、他端は、第二アクティブ端を形成する。なお、前記第二固定端は、前記外冠に固定される。また、前記第一アクティブ端と前記第二アクティブ端の間の距離は、前記凸ブロックの幅よりわずかに小さい。また、前記外冠を、下に向かって、所定の位置に被せる時、前記第一アクティブ端と前記第二アクティブ端は、前記凸ブロックによって開かれ、それにより、前記凸ブロックは、前記第一弾性留めアームと前記第二弾性留めアームの間に進入する。
【０００６】
また、本考案には、第一ネック部と第二ネック部が設けられ、それにより、凸ブロックと弾力留め具の相対的な位置をさらに安定して固定することができる。
【０００７】
また、本考案の第一アクティブ端と前記第二アクティブ端は、丸められて形成され、それにより、凸ブロックを移動させるときにさらにスムーズになる。
【０００８】
また、本考案は、凸ブロックを第一アクティブ端と第二アクティブ端の間でスムーズに移動させることができるように、前記第一アクティブ端と前記第一ネック部の間は彎曲して弧形を形成し、前記第二アクティブ端と前記第二ネック部の間は彎曲して弧形を形成し、この二つの弧形の開口は相互に対向する。それにより、前記凸ブロックを、前記第一アクティブ端と前記第二アクティブ端の間を通過させて、この二つの弧形が対向して形成する空間に進入させることができる。
【０００９】
また、第一固定端と第二固定端は連結され、さらに優れた弾性を備えさせることができる。
【００１０】
また、実施例においては、前記第一弾性留めアームは、直線を呈し、前記第二固定端と前記第二アクティブ端の間には第二ネック部が設けられ、前記第二ネック部と前記第一弾性留めアームの間の距離は、前記凸ブロックのサイズより小さく、それにより、前記凸ブロックは前記第二ネック部を通過できなくなり、また、前記第二アクティブ端と前記第二ネック部の間は彎曲して弧形を形成し、前記弧形の開口は前記第一弾性留めアームに向き合い、前記第二アクティブ端は、前記第二弾性留めアームを内側に曲げて形成される。それにより、本考案の目的を達成することができる。
【００１１】
また、実施例においては、前記第一アクティブ端は、前記第一弾性留めアームを内側に二度折り曲げてなり、その折り曲げた角度はいずれも９０度より小さく０度より大きく、前記第二アクティブ端は、前記第一アクティブ端に対応し、前記第二弾性留めアームを内側に二度折り曲げてなり、その折り曲げた角度はいずれも９０度より小さく０度より大きく、前記第一弾性留めアームの折り曲げた箇所の内の一つは、前記第二弾性留めアームの折り曲げた箇所の内の一つと相互に近づけて配置される。
【００１２】
また、前記第一弾性留めアームと前記第二弾性留めアームは、ニッケルチタンメモリ合金（ＮｉＴｉ  Ｍｅｍｏｒｙ  Ｍｅｔａｌ）を使用することができ、それにより、使用年数を長くすることができる。
【００１３】
本考案によるアクティブ式義歯は、内冠と外冠とからなる。内冠は、本物の歯に被せられ、内冠の表面には凸ブロックが設けられ、外冠内には、弾力留め具が固定され、弾力留め具は前記凸ブロックの位置に対応する。前記弾力留め具は、第一弾性留めアームと、第二弾性留めアームとからなる。前記第一弾性留めアームの一端は第一固定端を形成し、前記第一弾性留めアームの他端は第一アクティブ端を形成し、前記第一固定端は、前記外冠内に固定され、前記第二弾性留めアームの一端は第二固定端を形成し、前記第二弾性留めアームの他端は第二アクティブ端を形成し、前記第二固定端は前記外冠内に固定される。前記第一アクティブ端と前記第二アクティブ端の間の距離は、前記凸ブロックの幅よりわずかに小さく、前記外冠を、下に向かって、前記内冠に被せた時、前記第一アクティブ端と前記第二アクティブ端が前記凸ブロックによって開かれ、それにより、前記凸ブロックを前記第一弾性留めアームと前記第二弾性留めアームの間に進入させることができる。前記外冠を上から下に向かって前記内冠に嵌め込んだ時、前記弾力留め具が前記凸ブロックによって開かれ、前記凸ブロックが前記第一アクティブ端と前記第二アクティブ端の間を通過した後、前記弾力留め具が前記凸ブロックの位置を制限する。
【００１４】
本考案によるアクティブ式義歯は、隣接する歯の表面の凸ブロックに取り付けられる。このアクティブ式義歯は、外冠からなり、外冠は、前記隣接する歯に隣接し、外冠における隣接する歯との隣接面には弾力留め具が設けられ、前記弾力留め具は、前記凸ブロックの位置に対応する。前記弾力留め具は、第一弾性留めアームと、第二弾性留めアームとからなる。前記第一弾性留めアームの一端は第一固定端を形成し、前記第一弾性留めアームの他端は第一アクティブ端を形成し、前記第一固定端は、前記外冠に固定され、前記第二弾性留めアームの一端は第二固定端を形成し、前記第二弾性留めアームの他端は第二アクティブ端を形成し、前記第二固定端は、前記外冠に固定される。前記第一アクティブ端と前記第二アクティブ端の間の距離は、前記凸ブロックの幅よりわずかに小さく、前記外冠を下に向かって所定の位置に配置した時、前記第一アクティブ端と前記第二アクティブ端は、前記凸ブロックによって開かれる。それにより、前記凸ブロックを前記第一アクティブ端と前記第二アクティブ端の間に通過させると、前記弾力留め具が前記凸ブロックの位置を制限する。
【図面の簡単な説明】
【００１５】
【図１】本考案の実施例の内、外冠の組合方式を示した斜視図である。
【図２】本考案の実施例の内、外冠を組み合わせた後の断面図である。
【図３】本考案の実施例の作動を示した説明図である。
【図４】本考案の実施例の作動を示した説明図である。
【図５】本考案の実施例の作動を示した説明図である。
【図６】本考案の弾力留め具の具体的な実施形態を示した説明図である。
【図７】本考案の弾力留め具の具体的な実施形態を示した説明図である。
【図８】本考案の弾力留め具の具体的な実施形態を示した説明図である。
【図９】本考案の弾力留め具の具体的な実施形態を示した説明図である。
【図１０】本考案の弾力留め具の具体的な実施形態を示した説明図である。
【図１１】本考案の弾力留め具の具体的な実施形態を示した説明図である。
【図１２】本考案の弾力留め具の具体的な実施形態を示した説明図である。
【図１３】本考案の弾力留め具の具体的な実施形態を示した説明図である。
【図１４】本考案の弾力留め具の具体的な実施形態を示した説明図である。
【図１５】本考案の弾力留め具の具体的な実施形態を示した説明図である。
【図１６】本考案の弾力留め具の具体的な実施形態を示した説明図である。
【図１７】本考案を複数の内冠に適用した実施例を示した斜視図である。
【図１８】本考案を複数の内冠に適用した実施例を示した断面図である。
【図１９】本考案のもう一つの実施例の位置を示した斜視図である。
【図２０】本考案のもう一つの実施例の断面図である。
【図２１】本考案のもう一つの実施例の前方図である。
【図２２】本考案に係合ブロックと弾性カバーを結合させる実施例を示した分解斜視図である。
【図２３】本考案に係合ブロックと弾性カバーを結合させる実施例の結合後の状態を示した透視斜視図である。
【図２４】本考案に係合ブロックと弾性カバーを結合させる図２２の実施例の結合後の状態の一部を示した断面図である。
【図２５】本考案を外冠の両側に設けた実施例を示した分解斜視図である。
【図２６】本考案を外冠の両側に設けた実施例の結合後の状態を示した透視斜視図である。
【図２７】本考案の二つの弾力留め具を外冠の内側に設けた実施例を示した分解斜視図である。
【図２８】本考案の二つの弾力留め具を外冠の内側に設けた実施例の結合後の状態を示した透視図である。
【図２９】厚めの片体を利用して隣接する歯との空間をうめた実施例の概略図である。
【図３０】厚めの片体を利用して隣接する歯との空間をうめた実施例の断面図である。
【図３１】義歯の両側に延伸アームと弾力留め具を結合した状態を示した分解図である。
【図３２】図３１を組み合わせた後の状態を示した透視斜視図である。
【図３３】図３１を組み合わせた後の状態を示した断面図である。
【考案を実施するための形態】
【００１６】
本領域に従事する技術者に本実施例を素早く理解してもらえるよう、弾力留め具１を取り外し可能な義歯の外冠Ｂに結合させた例について、内冠Ａの間の作動関係を解説する。なお、凸ブロックＡ１、外冠Ｂ、弾力留め具１の比率は、図の比率に制限されるものではなく、実際の必要性に応じて調整することができるものとする。
【００１７】
図１を参照する。図１は、アクティブ式義歯の組み立てを示した説明図である。内冠Ａを本物の歯Ｔに取り付け、さらに、外冠Ｂを前記内冠Ａに被せ、外冠Ｂ内の弾力留め具１を凸ブロックＡ１に係合させる。その結合した後の断面図は、図２に示している。以上により、外冠Ｂをしっかり固定することができ、また、外冠Ｂを取り外して洗浄することができる。以下に、その構造について、説明を行う。
【００１８】
図１から図３に示すように、本実施例のアクティブ式義歯は、内冠Ａと外冠Ｂとからなる。内冠Ａは、本物の歯Ｔに被せられ、内冠Ａの表面には凸ブロックＡ１が設けられる。外冠Ｂの内部には、凸ブロックＡ１に対応する位置に、弾力留め具１が設けられる。
【００１９】
弾力留め具１は、第一弾性留めアーム１１と第二弾性留めアーム１２からなる。第一弾性留めアーム１１の一端は第一固定端１１１を形成し、他端は、第一アクティブ端１１２を形成する。なお、第一固定端１１１は、外冠Ｂ内に固定される。また、第二弾性留めアーム１２の一端は第二固定端１２１を形成し、他端は第二アクティブ端１２２を形成する。なお、第二固定端１２１は外冠Ｂ内に固定される。また、第一アクティブ端１１２と第二アクティブ端１２２の間の距離は、凸ブロックＡ１の幅より小さい。そして、外冠Ｂを、下に向かって、内冠Ａに被せた時、第一アクティブ端１１２と第二アクティブ端１２２は、凸ブロックＡ１によって開かれ、それにより、凸ブロックＡ１は第一弾性留めアーム１１と第二弾性留めアーム１２の間に進入する。凸ブロックＡ１が第一アクティブ端１１２と第二アクティブ端１２２を通過した後、弾力留め具１は凸ブロックＡ１の位置を制限する。
【００２０】
図４に示すように、上述の弾力留め具１と凸ブロックＡ１を合わせることにより、外冠Ｂを内冠Ａに被せて嵌め込んだ後、凸ブロックＡ１が弾力留め具１に挟みこまれ、それにより、外冠Ｂと内冠Ａの相対的な位置を固定することができる。外冠Ｂを取り外したい時は、外冠Ｂに直接力を入れて引っ張れば、図５に示すように、凸ブロックＡ１が再び第一アクティブ端１１２と第二アクティブ端１２２の間から出てきて、図３の状態を形成し、凸ブロックＡ１は弾力留め具１はに挟みこまれなくなり、外冠Ｂを取り外すことができる。使用する上では、使用者が外冠Ｂを差し込む方向を把握しやすくなり、ポカよけの機能を備える。また、本実施例において、一つの弾力留め具１だけを外冠に設けているが、実際には、それぞれのニーズに応じて、複数の弾力留め具１を複数の凸ブロックＡ１に対応させる方式を採用することもできる。この方式は、前記実施例を若干変更しただけの構造であるため、ここでは記載を省略する。
【００２１】
図６から図７に示すように、第一固定端１１１と第一アクティブ端１１２の間には、更に、第一ネック部１１３が設けられ、而於第二固定端１２１と第二アクティブ端１２２の間には、第二ネック部１２３が設けられ、第一ネック部１１３と第二ネック部１２３の位置は対応し、第一ネック部１１３と第二ネック部１２３の間の距離は、凸ブロックＡ１のサイズより小さく、凸ブロックＡ１が第一ネック部１１３と前記第二ネック部１２３を開けないようになっている。図８も、この類型のうちの一種である。
【００２２】
図６から図７に示すように、第一アクティブ端１１２は、第一弾性留めアーム１１を内側に丸めて形成され、第二アクティブ端１２２は、第二弾性留めアーム１２を内側に丸めて形成される。形成されたその滑らかな角度により、凸ブロックＡ１を、第一アクティブ端１１２と第二アクティブ端１２２に対してスライドさせやすくなる。また、第一固定端１１１と第二固定端１２１は直接連結され、それにより、弾力留め具１の弾性力が向上し、取り付けやすくなる。
【００２３】
図１３に示すように、第一アクティブ端１１２と第二アクティブ端１２２は、それぞれ外側に延伸させて、補助足１１２１、１２２１を形成させることができ、それにより、凸ブロックＡ１を第一アクティブ端１１２と第二アクティブ端１２２に進入させやすくなる。
【００２４】
図９に示すように、第一アクティブ端１１２と第一ネック部１１３の間は、彎曲させて弧形を形成させ、第二アクティブ端１２２と第二ネック部１２３の間を彎曲させて弧形を形成させる。しかも、この二つの弧形の開口は相互に対向する。それにより、凸ブロックＡ１が第一アクティブ端１１２と第二アクティブ端１２２を通過した後、この二つの対向する弧形が形成する空間に進入し、凸ブロックＡ１の位置を制限することができ、内冠Ａと外冠Ｂを組み合わせる目的を達成することができる。また、この弧形領域により、弾性回復力を強化し、第一アクティブ端１１２と第二アクティブ端１２２の弾性を増加させることができる。
【００２５】
また、図１０から図１２に示すように、第一アクティブ端１１２と第二アクティブ端１２２を、内側に巻かれた形状にすることができ、その丸みを帯びた外形を利用することにより、凸ブロックＡ１を第一アクティブ端１１２と第二アクティブ端１２２に進入させやすくなる。
【００２６】
図１４に示す、もう一つの形式の弾力留め具１の第一弾性留めアーム１１は、直線を呈し、第一アクティブ端１１２はわずかに外側に折れ曲がる。また、第二固定端１２１と第二アクティブ端１２２の間には、第二ネック部１２３が設けられ、第二ネック部１２３と第一弾性留めアーム１１の間の距離は、凸ブロックＡ１のサイズより小さい。それにより、凸ブロックＡ１は、第二ネック部１２３を通過できなくなる。また、第二アクティブ端１２２と第二ネック部１２３の間は彎曲して弧形を形成し、前記弧形の開口は、前記第一弾性留めアーム１１向き合う。この弧形により、第二アクティブ端１２２の弾性回復力が強化される。また、第二アクティブ端１２２は、第二弾性留めアーム１２を内側に丸めて形成される。この種の形式の弾力留め具は、本物の歯がやせほそった状態の時に適している。以上のようにして、本考案の目的と利点を達成することができる。
【００２７】
また、図１５と図１６に示すように、第一アクティブ端１１２は、第一弾性留めアーム１１を内側に二度折り曲げて形成され、曲げる角度はいずれも９０度より小さく、０度より大きい。第二アクティブ端１２２は、第一アクティブ端１１２に対応し、第二弾性留めアーム１２を内側に二度折り曲げて形成され、曲げる角度はいずれも９０度より小さく０度より大きい。また、第一弾性留めアーム１１の折り曲げた箇所の内の一つと、前記第二弾性留めアーム１２の折り曲げた箇所の一つは、相互に近づけて配置される。以上により、外冠を内冠に被せた時、凸ブロックＡ１を第一アクティブ端１１２と第二アクティブ端１２２の間に素早く通過させることができる。
【００２８】
また、図３に示すように、外冠Ｂの内側には、溝部Ｂ１が設けられ、それにより、弾力留め具１を配置することができる。溝部Ｂ１の間の距離は、前記内冠Ａの隣接面の幅より小さい。それによって、外冠Ｂと内冠Ａに、接触面を保持させることができ、弾力留め具１を保護することができる以外に、接触面との接触を維持することで、外冠Ｂと内冠Ａの力を受ける能力に影響がない。
【００２９】
図１７と図１８に示すように、内冠Ａは、凸ブロックＡ１を用いて、もう一つの内冠Ａと連結される（この二つの内冠は、一本の本物の歯を切ってなる複数の歯にそれぞれ被せ、凸ブロックを利用して相互に連結する）ため、ブロックＡ１の位置は外冠Ｂ内部に設けられる。以上により、本考案の利点を達成することができる。
【００３０】
また、第一弾性留めアーム１１と第二弾性留めアーム１２は、オーストラリアワイヤー（Ａｕｓｔｒａｌｉａ  ｗｉｒｅ）或いは、ニッケルチタンメモリ合金（ＮｉＴｉ  Ｍｅｍｏｒｙ  Ｍｅｔａｌ）にすることができ、それにより、その弾性回復力を長時間維持することができる。
【００３１】
図１９から図２１を参照する。図１９から図２１は、本考案のアクティブ式義歯のもう一つの実施例である。それは、弾力留め具１を外冠Ｂの外面にとりつけ、隣接する歯Ｃの凸ブロックＣ１と係合させることができる。また、弾力留め具１の構造は、前の実施例と同じであり、本領域の技術者が前の実施例を読んだ後であれば、この実施例も問題なく理解することができるため、弾力留め具１と弾力留め具１の変化についてはここでは記載を省略するものとする。また、隣接する歯Ｃの凸ブロックＣ１は、表面加工或いは表面への接着或いは柱体を貫設する方法によって形成させる。
【００３２】
また、図２０と図２１に示すように、外冠Ｂと隣接する歯Ｃの隣接面に、直接、一溝部Ｂ２を設けることで、外冠Ｂと隣接する歯Ｃの間の隙間を減らすことができるとともに、弾力留め具１と凸ブロックＣ１を結合させた時、弾力留め具１が外部の衝撃を受けて、取れたり曲がったりするのを防ぐことができる。また、さらに、溝部Ｂ２頂端には凹溝Ｂ３を設けることで、弾力留め具１の頂端を凹溝Ｂ３内に固定することができる。この凹溝Ｂ３を利用することで、弾力留め具１を固定する際の安定性と利便性を向上させることができる。例えば、接着剤を凹溝Ｂ３内に流し込んで、接着剤を凹溝Ｂ３と弾力留め具１頂端の間に満たすことで、弾力留め具１頂端を、凹溝Ｂ３内に強固に結合させることができる。
【００３３】
図２２から図２４に示すように、内冠Ａ１に、さらに、係合ブロックＡ２が設けられ、外冠Ｂ内における係合ブロックＡ２の位置には、弾性カバーＢ４が設けられ、外冠Ｂが内冠Ａ１に被せられた時、弾性カバーＢ４が係合ブロックＡ２に弾性力をもって包み込み、さらに弾力留め具１と合わせることにより、外冠Ｂと内冠Ａ１の相対的な位置はさらに固定される。
【００３４】
また、図２５と図２６に示すように、外冠Ｂにおける二つの隣接する歯Ｃの間に、それぞれ、弾力留め具１が設けられ、隣接する歯には凸ブロックＢ１が設けられる。それにより、さらに強い力で咀嚼することができるようになる。
【００３５】
さらに、図２７と図２８に示すように、内冠Ａ１には、二つの凸ブロックＢ１が設けられ、二つの弾力留め具１を合わせることにより、受けられる力を向上させることができる。
【００３６】
また、図２９と図３０に示すように、隣接する歯の底部が凹んでいるか、或いは細くて、凸ブロックＢ１を上述の方式では（即ち、図２の方式）形成させることができない時、厚めの片体Ｓを接着して、凸ブロックＢ１を直接この片体に形成させることで、この問題を解決することができる。
【００３７】
さらに、図３１から図３３を参照する。本考案は、内冠なしの義歯Ｙに適用することもできる。義歯Ｙにおける隣接する歯の側に、延伸アームＹ１が設けられ、延伸アームを前記隣接する歯の前面、後面、上面に当接させることにより、隣接する歯がこの義歯が受ける力を分担して受ける。また、義歯と二つの隣接する歯の間には、弾力留め具１がそれぞれ設けられ、隣接する歯には、凸ブロックＢ１が設けられる。以上により、更に強い力で咀嚼することができる。
【符号の説明】
【００３８】
１          弾力留め具
１１        第一弾性留めアーム
１１１      第一固定端
１１２      第一アクティブ端
１１３      第一ネック部
１２        第二弾性留めアーム
１２１      第二固定端
１２２      第二アクティブ端
１２３      第二ネック部
Ａ          内冠
Ａ１        凸ブロック
Ｂ          外冠
Ｂ１        溝部
Ｂ２        溝部
Ｃ          隣接する歯
Ｃ１        凸ブロック
Ｔ          本物の歯
【図１】
0003179284.tif 000003
【図２】
0003179284.tif 000004
【図３】
0003179284.tif 000005
【図４】
0003179284.tif 000006
【図５】
0003179284.tif 000007
【図６】
0003179284.tif 000008
【図７】
0003179284.tif 000009
【図８】
0003179284.tif 000010
【図９】
0003179284.tif 000011
【図１０】
0003179284.tif 000012
【図１１】
0003179284.tif 000013
【図１２】
0003179284.tif 000014
【図１３】
0003179284.tif 000015
【図１４】
0003179284.tif 000016
【図１５】
0003179284.tif 000017
【図１６】
0003179284.tif 000018
【図１７】
0003179284.tif 000019
【図１８】
0003179284.tif 000020
【図１９】
0003179284.tif 000021
【図２０】
0003179284.tif 000022
【図２１】
0003179284.tif 000023
【図２２】
0003179284.tif 000024
【図２３】
0003179284.tif 000025
【図２４】
0003179284.tif 000026
【図２５】
0003179284.tif 000027
【図２６】
0003179284.tif 000028
【図２７】
0003179284.tif 000029
【図２８】
0003179284.tif 000030
【図２９】
0003179284.tif 000031
【図３０】
0003179284.tif 000032
【図３１】
0003179284.tif 000033
【図３２】
0003179284.tif 000034
【図３３】
0003179284.tif 000035